(57)【特許請求の範囲】
【請求項１】
係合突条を有するアウターリング、Ａインナーリング及び頂壁によって形成された嵌合部と、容器口部の流通を阻止する遮弊天板とをキャップ本体として一体に備えた合成樹脂製キャップにおいて、
牛乳びん等の容器口部内側に形成された紙栓止め用の段差部の下部内周面に当接するＢインナーリングを、上記段差部の上部内周面に当接する上記Ａインナーリングに対して同心的にキャップ本体下部に一体に垂設し、
前記頂壁と遮断天板との境界部に環状凹溝を介在させ、
前記Ａインナーリングと前記Ｂインナーリングを前記段差部に接合する結合リングにより一体に連結したことを特徴とする牛乳びん等の容器用キャップ。
【発明の詳細な説明】
【０００１】
【発明の属する技術分野】
この発明は、口部内側に紙栓止め用の段差部が形成された牛乳びん等の容器用キャップに関するものである。
【０００２】
【従来の技術】
図５は、従来公知の口部内側に紙栓止め用の段差部が形成された牛乳びん等の容器用キャップの拡大断面図である。
図において、１は合成樹脂の射出成形によって形成された牛乳びん等の容器用キャップ、２はこれに対応する牛乳びん等の口部、３は牛乳びん等の容器用キャップ１の本体外周付近に形成された嵌合部、３ａはアウターリング、３ｂはアウターリングの下部内側に形成された係合突条で、牛乳びん等の口部２の突縁部２ａ下部に係合可能となっている。３ｃは牛乳びん等の口部２の内側の段差部４の上部内周面４ａに当接可能なＡインナーリング、３ｄはアウターリング３ａとＡインナーリング３ｂとを連結する頂壁で、これらが一体となって嵌合部３が形成されている。５は容器口部の流通を阻止する遮弊天板、６は容器用キャップ１の本体外側に突設された摘みフランジ部である。
【０００３】
この公知の容器用キャップの蓋を開けるには、左手で容器本体を持ち、右手指によって摘みフランジ部６を摘み、これを押上げると梃子の原理によって容器用キャップ１に押上げる力がはたらき、嵌合が外れて開蓋される。
【０００４】
【発明が解決しようとする課題】
しかしながら、上記のように公知の容器用キャップは、口部２の段差部４の上部内周面４ａに当接可能なＡインナーリング３ｃによって嵌合が強化されているが、金型精度、成形歪み、熱変形などによって嵌合が緩くなり、シール性が不足したり、ちょっとした弾みで蓋が開いてしまうという問題点があった。改善策としてＡインナーリング３ｃの高さ寸法を大きくすれば接合面積が増加し嵌合を強化することが出来るが、上記高さ寸法は段差部４によって制約されるので上記高さ寸法の変更による調節は困難であった。
【０００５】
本発明は上記問題を解決するためになされたもので、従来の口部内側に紙栓止め用の段差部が形成された牛乳びん等の容器にそのまま適用出来て、シール性を一層強化出来る牛乳びん等の容器用キャップを提供することを目的としている。
【０００６】
この発明は上記目的を達成するためになされたものであり、請求項1記載の牛乳びん等の容器用キャップは、 係合突条を有するアウターリング、Ａインナーリング及び頂壁によって形成された嵌合部と、容器口部の流通を阻止する遮弊天板とをキャップ本体として一体に備えた合成樹脂製キャップにおいて、牛乳びん等の容器口部内側に形成された紙栓止め用の段差部の下部内周面に当接するＢインナーリングを、上記段差部の上部内周面に当接する上記Ａインナーリングに対して同心的にキャップ本体下部に一体に垂設し、前記頂壁と遮断天板との境界部に環状凹溝を介在させ、前記Ａインナーリングと前記Ｂインナーリングを前記段差部に接合する結合リングにより一体に連結したことを特徴とするものである。
【０００７】
【発明の実施の形態】
本発明の第一実施例を図１〜図２により説明する。
１１は合成樹脂の射出成形によって形成された牛乳びん等の容器用キャップ，１２はこれに対応する牛乳びん等の口部、１３は牛乳びん等の容器用キャップ１１の本体外周付近に形成された嵌合部、１３ａはアウターリング、１３ｂはアウターリングの下部内側に形成された係合突条で、牛乳びん等の口部１２の突縁部１２ａ下部に係合可能となっている。１４は牛乳びん等の口部１２の内側の紙栓止め用の段差部、１３ｃはこの段差部１４の上部内周面１４ａに当接可能なＡインナーリング、１３ｄはアウターリング１３ａとＡインナーリング１３ｃとを連結する頂壁で、これらが一体となって嵌合部１３が形成されている。１５は容器口部の流通を阻止する遮弊天板で、上面が上記嵌合部１３と連続して一体に形成され、キャップ本体を構成している。１６はこの容器用キャップ１１の本体外側に突設された摘みフランジ部、１７はＢインナーリングで，牛乳びん等の容器口部内側に形成された紙栓止め用の段差部１４の下部内周面１４ｂに当接する．従って、上記Ａインナーリング１３ｃと上記Ｂインナーリング１７とは同心的位置関係にある。
【０００８】
このような容器用キャップ１１を牛乳びん等の容器の口部１２に装着するには遮弊天板１５を上方から押さえ付けるとよい。また、この摘みフランジ部１６を上方に引き上げることで容器の口部１２より取り外すことが出来る。このような蓋は、高齢者、女性、子供などでも容易に着脱が出来るように緩く嵌合させてもＢインナーリング１７が段差部１４の下部内周面１４ｂに当接するため牛乳びん等の口部の遮断効果が向上し、内外の流通を阻止することが出来る。しかもこのＢインナーリング１７の高さを加減して最適に調節することも出来る。
【０００９】
本発明の第二実施例を図３〜４により説明する。図中第一実施例と同一部分については同一の符号を付して説明を省略する。
前記第一実施例では遮弊天板１５は、上面が上記嵌合部１３と連続して一体に形成されているが、第二実施例では、上面が連続することなく両者の境界部に環状凹溝２０を介在させ、Ａインナーリング１３ｃと上記Ｂインナーリング１７とは段差部１４に接合する結合リング２１によって一体に連結されている。
【００１０】
本発明の第一実施例では摘みフランジ部１６を押上げる力は嵌合部全体に伝達されるため、蓋を開く時に大きな力を必要とするが、第二実施例では、環状凹溝２０を存在させたことにより、摘みフランジ部１６を押上げた時、初期動作として摘みフランジ部１６に近い嵌合部が上記環状凹溝２０を境として回動することができるので、摘みフランジ部１６を押上げる力がこの摘みフランジ部１６に近い嵌合部に集中できる。従って高齢者、女性、子供などの比較的小さな力で蓋を開くことができる。
【００１１】
【発明の効果】
本発明は、以上説明したように構成されているので、以下に記載されるような効果を奏する。
【００１２】
牛乳びん等の容器口部内側に形成された紙栓止め用の段差部の下部内周面に当接するＢインナーリングを、上記段差部の上部内周面に当接するＡインナーリングに対して同心的にキャップ本体下部に一体に垂設したことにより、高齢者、女性、子供などでも容易に着脱が出来るように緩く嵌合させてもＢインナーリングが段差部の下部内周面に当接するため牛乳びん等の口部の遮断効果が向上し、閉蓋時に内外の流通を確実に阻止することが出来る。しかもこのＢインナーリングの高さを設計に際し加減して最適に調節することも出来る。又、環状凹溝２０を存在させたことにより、摘みフランジ部１６を押上げた時、初期動作として摘みフランジ部１６に近い嵌合部が上記環状凹溝２０を境として回動することができるので、摘みフランジ部１６を押上げる力がこの摘みフランジ部１６に近い嵌合部に集中できる。従って高齢者、女性、子供などの比較的小さな力で蓋を開くことができる。
【図面の簡単な説明】
【図１】本発明の第一実施例による容器用キャップの縦断面図である。
【図２】図１の容器用キャップの底面図である。
【図３】本発明の第二実施例による容器用キャップの縦断面図である。
【図４】図３の容器用キャップの平面図である。
【図５】従来例を示す断面図である。
【符号の説明】
１１    容器用キャップ
１２    容器の口部
１２ａ  突縁部
１３    嵌合部
１３ａ  アウターリング
１３ｂ  係合突条
１３ｃ  Ａインナーリング
１３ｄ  頂壁
１４    段差部
１４ａ  上部内周面
１４ｂ  下部内周面
１５    遮弊天板
１６    摘みフランジ部
１７    Ｂインナーリング
２０    環状凹溝
２１    結合リング
【図１】
0004578655.tif 000002
【図２】
0004578655.tif 000003
【図３】
0004578655.tif 000004
【図４】
0004578655.tif 000005
【図５】
0004578655.tif 000006